(57)【要約】【課題】４枚フラップ構成の包装容器において、不正開封を行おうとして接着を外した場合であっても蓋部が開封しないように構成すること。【解決手段】本体構成板１０のうち蓋部に連結される背面側板１２と、背面側板１２の内側近傍に形成される隙間部形成片１６と、蓋部２０の内側に連結される背面側板１２と隙間部形成片１６との間に形成された隙間Ｓにて摺動する摺動片４２と、を有し、摺動片４２には、同一面上に折曲線Ｂを介して一部突出する引掛片５１が連結され、本体構成板１０には、引掛片５１と引掛かる引掛孔５２と、引掛片５１及び引掛孔５２を覆い破断線Ｄ５０に囲まれる被覆部５３と、が形成されることを特徴とする。【選択図】図１
2015074477.tif 000002
【特許請求の範囲】
【請求項１】
本体構成板によって形成された開口部を蓋部にて覆うことで内容物を包装する包装容器であって、
本体構成板のうち前記蓋部に連結される蓋部連結片と、
前記蓋部連結片の内側近傍に形成される隙間部形成片と、
前記蓋部の内側に連結される前記蓋部連結片と前記隙間部形成片との間に形成された隙間にて摺動する摺動片と、を有し、
前記摺動片には、同一面上に折曲線を介して一部突出する引掛片が連結され、
前記本体構成板には、前記引掛片と引掛かる引掛孔と、前記引掛片及び前記引掛孔を覆い破断線に囲まれる被覆部と、が形成されることを特徴とする不正開封防止機能付き包装容器。
【請求項２】
前記摺動片には、再封片が連結され、
前記本体構成板には、前記再封片を露出させる窓部が形成され、
前記窓部から露出した前記再封片を外部へ起き上がらせることで前記蓋部をロックすることを特徴とする請求項１に記載の不正開封防止機能付き包装容器。
【発明の詳細な説明】
【技術分野】
【０００１】
本発明は、本体構成片によって形成された開口部を蓋部片にて覆うことで内容物を包装する包装容器であって、特に不正開封防止機能が付帯された包装容器に関する。
【背景技術】
【０００２】
従来、紙等のシート状の素材で構成されたブランクシートを、折りたたむことで構成される包装容器において、不正に開封した場合に開封した痕跡が残る、改ざん防止機能が付されたものがある。
【０００３】
直方体型の包装容器において、長方形の開口部を差込片を有さずに閉じる構成、すなわち、長方形の開口部の周囲の４つの片を用いて閉じる構成を、４枚フラップ構成ともいう。この４枚フラップ構成で開口部を閉じる場合、通常、対向する片の上面と下面とを互いに接着することによって固定する。そして、この４枚フラップ構成で閉じられた箇所を不正に開封する場合、接着されている２つの片の接着を剥がすことが挙げられる。
【０００４】
この行為に対応する改ざん防止機能として、上面となるフラップの内部を破断しやすい構成にすることで、２つの片が離間したことが容易にわかるようにしたものがある（例えば、特許文献１参照）。
【先行技術文献】
【特許文献】
【０００５】
【特許文献１】特開２００２−２３４５２８
【発明の概要】
【発明が解決しようとする課題】
【０００６】
しかしながら、４枚フラップ構成の包装容器において、より高い不正開封防止機能が付されたものが要求されていた。
【０００７】
本発明の目的は、４枚フラップ構成の包装容器において、不正開封を行おうとして接着を外した場合であっても蓋部が開封しないように構成することである。
【課題を解決するための手段】
【０００８】
上記目的達成のための本発明の第１の構成は、本体構成板によって形成された開口部を蓋部にて覆うことで内容物を包装する包装容器であって、本体構成板のうち前記蓋部に連結される蓋部連結片と、前記蓋部連結片の内側近傍に形成される隙間部形成片と、前記蓋部の内側に連結される前記蓋部連結片と前記隙間部形成片との間に形成された隙間にて摺動する摺動片と、を有し、前記摺動片には、同一面上に折曲線を介して一部突出する引掛片が連結され、前記本体構成板には、前記引掛片と引掛かる引掛孔と、前記引掛片及び前記引掛孔を覆い破断線に囲まれる被覆部と、が形成されることを特徴とする不正開封防止機能付き包装容器である。
【０００９】
第２の構成は、前記摺動片には、再封片が連結され、前記本体構成板には、前記再封片を露出させる窓部が形成され、前記窓部から露出した前記再封片を外部へ起き上がらせることで前記蓋部片をロックすることを特徴とする第１の構成に記載の不正開封防止機能付き包装容器である。
【発明の効果】
【００１０】
第１の構成によれば、摺動片に連結した引掛片と、本体構成板に形成された引掛孔とが包装容器の内部で引っ掛かる。このため、蓋部の接着をとったとしても、蓋部は開かない構成となっている。よって、４枚フラップ構成の包装容器において、不正開封を行おうとして蓋部の接着を外した場合であっても、蓋部が開封しないように構成することができる。
【００１１】
第２の構成によれば、
また、正規に蓋部を開けた場合、次に、蓋部を閉じて再封片を再封用窓部から起こせば、蓋部の再封をすることができる。
【図面の簡単な説明】
【００１２】
【図１】第１実施形態の包装容器の展開図。
【図２】第１実施形態の包装容器の組立時の状態を説明する斜視図。
【図３】第１実施形態の包装容器の組立時・完成時の内部状態を説明する斜視図。
【図４】第１実施形態の包装容器の不正開封防止構造を説明する斜視図。
【図５】第１実施形態の包装容器の開封後の再封構造を説明する斜視図。
【図６】第２実施形態の包装容器の展開図。
【発明を実施するための形態】
【００１３】
〔第１実施形態〕
図を用いて第１実施形態の不正開封防止機能付きの包装容器１を説明する。図１は第１実施形態の包装容器の展開図であり、ブランク板表面、すなわち容器の外部側から見た面の展開図である。図２は第１実施形態の包装容器の組立時の状態を説明する斜視図である。図３は第１実施形態の包装容器の組立時・完成時の内部状態を説明する斜視図である。
【００１４】
なお、図３以降の図面は、説明のために全ての片を透明にして説明している。また、本実施形態における組立手順は、あくまでも構成を説明するためのものであって、これに限られるものではない。特に、自動包装においては、より効率の良い他の手順で組み立てることは可能である。
【００１５】
（包装容器１の構成）
包装容器１は、図１に示す一枚のブランク板を折りたたむことで形成される。包装容器１は、図１乃至図３に示すように、連続する側板を折りたたんで内容物の収納空間を形成する本体構成板１０と、本体構成板１０によって囲まれることで形成される開口部ＯＰ（図４参照）を覆う蓋部２０と、底部３０と、摺動部４０を有する。
【００１６】
図１の展開図を用いて、包装容器１の各部構成を説明する。
【００１７】
本体構成板１０は、折り目を介して連続して形成される、右側板１１、背面側板１２（蓋部連結片）、左側板１３、正面側板１４、右内部側板１５、隙間部形成片１６、隙間部固定片１７を有する。なお、正面側板１４は切離線Ｄ１において切り離し可能である。また、背面側板１２には、左側板１３に隣接するように再封用窓部６２（窓部）が形成され、右内部側板１５には、隙間部形成片１６に隣接するように引掛孔５２が形成される。
【００１８】
蓋部２０は、本体構成板１０に連結される摺動部連結片２１、側片２２、蓋部天面片２３、側片２４、から構成される。蓋部天面片２３の内部側には接着剤Ｇが配設される。
【００１９】
底部３０は、固定片３１、側片３２、被固定片３３、側片３４、から構成される。被固定片３３には接着剤Ｇが配設され、固定片３１と被固定片３３とは互いに接着固定される。
【００２０】
摺動部４０は、摺動部連結片２１に連結される摺動部固定片４１と、摺動片４２、とが折り目を介して連続して形成される。なお、摺動部固定片４１と摺動片４２との間には、折目Ａと切込Ｄが形成され、折目Ａのみで一部つながっている。また、摺動片４２は後述の摺動方向に沿ってリブ４２ａが形成される。なお、リブ４２ａは、エンボス加工をすることで形成すると、強度が増すので好ましい。
【００２１】
また、組立後の包装容器１には、引掛機構５０と、再封機構６０とが備わる（図３（ｂ）参照）。
【００２２】
引掛機構５０は、図１に示すように、摺動片４２と同一面上に折曲線Ｂを介して一部突出して連結される引掛片５１と、上述のように右内部側板１５に形成される引掛孔５２と、右側板１１に破断線Ｄ５０に囲まれて形成される被覆部５３により構成される。被覆部５３は、包装容器１を組み立てた場合、引掛片５１及び引掛孔５２を覆う。被覆部５３にはつまみやすいように、あらかじめ右側板１１から切断された部分であるツマミ５３ａが形成される。
【００２３】
再封機構６０は、図１に示すように、摺動片４２の面内が一部切断されて形成された再封片６１と、上述のように背面側板１２に形成される再封用窓部６２とによって構成される。再封片６１は、摺動片４２に対して折曲げ可能な折曲線Ｃを介して、摺動片４２と一体となっている。
【００２４】
次に、図２及び図３を用いて、包装容器１の組立て時の様子とともに、包装容器１の構造上の特徴を説明する。
【００２５】
まず、図２に示すように、摺動部連結片２１と摺動部固定片４１との間で折ることにより、摺動部４０を形成する（図２（ａ）参照）。
【００２６】
なお、便宜上、図２において摺動片４２とこれに付帯する引掛片５１や再封片６１に網掛けを施してある。これは包装容器１の機能を説明するにおいて、摺動片４２の動きが重要となるため、わかりやすくしたものである。
【００２７】
そして、本体構成板１０を形成するため、図３（ａ）に示すように、隙間部固定片１７、隙間部形成片１６、右内部側板１５を折り、隙間部固定片１７を左側板１３に対して接着固定する。この際、本体構成板１０の内部で、背面側板１２の内側近傍に形成される隙間部形成片１６と背面側板１２との間に隙間Ｓができるように接着固定する。
【００２８】
次に、図３（ｂ）に示すように、右側板１１が右内部側板１５上に重なるように、左側板１３、背面側板１２、右側板１１を折りつつ、右側板１１及び右内部側板１５の接着剤Ｇによって、右側板１１を右内部側板１５に対して固定する。
【００２９】
そして、本体構成板１０によって形成された開口部ＯＰを閉塞するために、蓋部２０と底部３０とを本体構成板１０に対して閉じる。これにより、包装容器１が完成する。
【００３０】
この際、図３（ｃ）に示すように、摺動部４０の摺動片４２が、蓋部２０の内側に連結される背面側板１２と隙間部形成片１６との間に形成された隙間Ｓに入り込む。摺動片４２は、背面側板１２と隙間部形成片１６との間に挟まれるため、摺動片４２と背面側板１２及び隙間部形成片１６との間には摩擦抵抗が生じることになる。
【００３１】
次に、包装容器１の使用状態と、包装容器１に付帯される機能について説明する。
【００３２】
（不正開封防止構造）
図４を用いて包装容器１の不正開封防止構造を説明する。図４は第１実施形態の包装容器の不正開封防止構造を説明する斜視図である。（ａ）が被覆部５３を取り除いた状態、（ｂ）が蓋部２０を開けた状態、（ｃ）が蓋部２０を閉じた状態を示す。
【００３３】
包装容器１の不正開封防止構造は、包装容器１が、引掛機構５０（引掛片５１、引掛孔５２、被覆部５３）を有することにより構成される。次に詳細に説明する。
【００３４】
包装容器１が完成した状態（図３（ｃ）の状態）においては、引掛片５１の蓋部２０側の端部と引掛孔５２の蓋部２０側の縁とが互いに引っ掛かった状態にある。このため、たとえ使用者が引掛機構５０を操作せずに蓋部２０を開けようとしても、引掛片５１と引掛孔５２とが引っ掛かり、蓋部２０を開封することはできない。このため、不正開封を防止することができる。
【００３５】
そこで、正式に蓋部２０を開封する際には、引掛機構５０を操作する必要がある。この場合、まず、図４（ａ）に示すように、ツマミ５３ａをつまんで被覆部５３を取り除く。すると、引掛片５１が引掛孔５２から外部方向に露出し、引掛片５１の端部と引掛孔５２の縁との引っ掛かりが外れる。
【００３６】
図４（ｂ）に示すように、切離線Ｄ１で切り離して蓋部２０を開けると、摺動部４０の摺動片４２は隙間Ｓにて摺動可能となる。摺動片４２の隙間Ｓにおける摩擦により、蓋部２０は任意の開口角度にて、その姿勢を保持することができる。ここで、任意の開口角度とは、図４（ｂ）に示すように、背面側板１２に対して蓋部２０が１８０°となる完全な開放状態から、図４（ｃ）に示すように、背面側板１２に対して蓋部２０が９０°となる完全な閉塞状態までの任意の角度をいう。
【００３７】
また、本実施形態では摺動片４２にリブ４２ａが形成される。このため、紙のようにクセが付きやすい素材であっても、長い期間、摺動片４２に円滑な摺動動作を行わせることができる。
【００３８】
（再封構造）
図５を用いて包装容器１の再封構造を説明する。図５は第１実施形態の包装容器の開封後の再封構造を説明する斜視図である。（ａ）がロックを解除した状態、（ｂ）がロックをした状態を示す。（ａ）と（ｂ）には、再封機構６０を左側板１３側から見た拡大斜視図を付す。
【００３９】
包装容器１の再封構造は、包装容器１が、再封機構６０（再封片６１、再封用窓部６２）を有することにより構成される。次に詳細に説明する。
【００４０】
図５（ａ）に示すように、前述の引掛機構５０での引掛けが解除された状態で、蓋部２０を閉じると、摺動片４２に付帯される再封片６１が背面側板１２に形成される再封用窓部６２から露出する。この状態の再封片６１は、蓋部２０の閉動作に伴って摺動片４２と共に隙間Ｓを摺動してきたため、再封片６１は摺動片４２と同一平面にある。
【００４１】
ここで、図５（ｂ）に示すように、再封用窓部６２から露出した再封片６１を外部へ起き上がらせる。すると、再封片６１の蓋部２０側の端部と再封用窓部６２の縁が引っ掛かる。これにより、蓋部２０はロックされる。
【００４２】
以上のように、本実施形態では、蓋部２０の裏面に付帯した摺動部４０の摺動片４２と引掛片５１とが一体となっている。そして、蓋部２０を閉じた状態では、引掛片５１と引掛孔５２とが包装容器１の内部で引っ掛かっている。このため、蓋部２０と摺動部４０の接着を何らかの方法でとったとしても、引掛機構５０による引っ掛かりにより、摺動部４０が開かない構成となっている。このように、４枚フラップ構成の包装容器１において、蓋部２０の不正開封を行おうとして接着を外した場合であっても、蓋部２０が開封しないように構成することができる。
【００４３】
また、引掛機構５０の被覆部５３を取り除いて、正規に蓋部２０を開けた場合、次に、蓋部２０を閉じて再封片６１を再封用窓部６２から起こせば、蓋部２０の再封をすることができる。再封機構６０があるため、子供が誤って蓋部を開けてしまうことを防止し、チャイルドロックとすることができる。
【００４４】
〔第２実施形態〕
図を用いて第２実施形態の不正開封防止機能付きの包装容器２を説明する。図６は第２実施形態の包装容器の展開図であり、ブランク板表面、すなわち容器の外部側から見た面の展開図である。前述の同様の構成については、同符号を付して説明を省略する。
【００４５】
第１実施形態においては、摺動部４０、引掛機構５０、再封機構６０を、蓋部２０側のみに形成したが、第２実施形態においては、蓋部２０側のみならず、底部３０側にも形成した。これにより、底部３０にも同様の不正開封防止機能及び再封機能を付帯することができる。
【符号の説明】
【００４６】
Ａ…折目、Ｂ…折曲線、Ｃ…折曲線、Ｄ…切込、Ｄ１…切離線、Ｄ５０…破断線、Ｇ…接着剤、ＯＰ…開口部、Ｓ…隙間、１…包装容器、２…包装容器、１０…本体構成板、１１…右側板、１２…背面側板、１３…左側板、１４…正面側板、１５…右内部側板、１６…隙間部形成片、１７…隙間部固定片、２０…蓋部、２１…摺動部連結片、２２…側片、２３…蓋部天面片、２４…側片、３０…底部、３１…固定片、３２…側片、３３…被固定片、３４…側片、４０…摺動部、４１…摺動部固定片、４２…摺動片、４２ａ…リブ、５０…引掛機構、５１…引掛片、５２…引掛孔、５３…被覆部、５３ａ…ツマミ、６０…再封機構、６１…再封片、６２…再封用窓部
【図１】
2015074477.tif 000003
【図２】
2015074477.tif 000004
【図３】
2015074477.tif 000005
【図４】
2015074477.tif 000006
【図５】
2015074477.tif 000007
【図６】
2015074477.tif 000008